(57)【要約】  操作者に与えるストレスを軽減する。本発明のタッチパネルの制御方法は、自己容量情報取得ステップ、相互容量情報取得ステップ、接触判断ステップを実行する。自己容量情報取得ステップは、自己容量方式で、Ｘ電極ごとおよびＹ電極ごとに、タッチパネルへの接触に関する情報を取得し、静電容量の変化量に対応する自己変化量を求める。相互容量情報取得ステップは、Ｘ電極とＹ電極の一方を送信側電極、他方を受信側電極として、相互容量方式で、Ｘ電極とＹ電極の組ごとに、タッチパネルへの接触に関する情報を取得し、静電容量の変化量に対応する相互変化量を求める。接触判断ステップは、自己変化量、相互変化量、第１自己しきい値、第２自己しきい値、第１相互しきい値、第２相互しきい値に基づいて、タッチパネルへの指示体の接触の検知、異常検知を行う。
2021009949.tif 000002
【特許請求の範囲】
【請求項１】
二次元の１つの方向をＸ方向、Ｘ方向に直交する方向をＹ方向とし、Ｘ方向に配列された複数のＸ電極と、Ｙ方向に配列された複数のＹ電極を有するタッチパネルの制御方法であって、
自己容量方式で、前記Ｘ電極ごとおよび前記Ｙ電極ごとに、前記タッチパネルへの接触に関する情報を取得し、静電容量の変化量に対応する自己変化量を求める自己容量情報取得ステップと、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得ステップと、
自己変化量、相互変化量、第１自己しきい値、第２自己しきい値、第１相互しきい値、第２相互しきい値に基づいて、前記タッチパネルへの指示体の接触の検知、前記タッチパネルへの指示体以外の接触の検知、異常検知を行う接触判断ステップと、
を有し、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルへの指示体以外の接触があると判断するための値であり、
前記接触判断ステップは、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲にも前記第２自己しきい値が示す前記タッチパネルが異常と判断する範囲にもなく、かつ、相互変化量の符号を前記第２相互しきい値と同じ符号になるようにした値が前記第２相互しきい値が示す前記タッチパネルへの指示体以外の接触があると判断する範囲にあるときは、前記タッチパネルへの指示体以外の接触があると判断し、
自己変化量が前記第２自己しきい値が示す前記タッチパネルが異常と判断する範囲にあるときは、異常と判断する
ことを特徴とする制御方法。
【請求項２】
請求項１記載の制御方法であって、
さらに、
前記接触判断ステップが指示体以外の接触があると判断した自己変化量と相互変化量の組合せに対応する前記Ｘ電極と前記Ｙ電極とが交差する位置を、前記タッチパネルに表示する付着表示ステップも有する
ことを特徴とする制御方法。
【請求項３】
二次元の１つの方向をＸ方向、Ｘ方向に直交する方向をＹ方向とし、Ｘ方向に配列された複数のＸ電極と、Ｙ方向に配列された複数のＹ電極を有するタッチパネルの制御方法であって、
自己容量方式で、前記Ｘ電極ごとおよび前記Ｙ電極ごとに、前記タッチパネルへの接触に関する情報を取得し、静電容量の変化量に対応する自己変化量を求める自己容量情報取得ステップと、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得ステップと、
自己変化量、相互変化量、第１自己しきい値、第２自己しきい値、第１相互しきい値、第２相互しきい値に基づいて、前記タッチパネルへの指示体の接触の検知、異常検知を行う接触判断ステップと、
を有し、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルが異常と判断するための値であり、
前記接触判断ステップは、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲になく、かつ、相互変化量の符号を前記第２相互しきい値と同じ符号になるようにした値が前記第２相互しきい値が示す前記タッチパネルが異常と判断する範囲にあるときは、異常と判断し、
自己変化量が前記第２自己しきい値が示す前記タッチパネルが異常と判断する範囲にあるときは、異常と判断する
ことを特徴とする制御方法。
【請求項４】
二次元の１つの方向をＸ方向、Ｘ方向に直交する方向をＹ方向とし、Ｘ方向に配列された複数のＸ電極と、Ｙ方向に配列された複数のＹ電極を有するタッチパネルの制御方法であって、
自己容量方式で、前記Ｘ電極ごとおよび前記Ｙ電極ごとに、前記タッチパネルへの接触に関する情報を取得し、静電容量の変化量に対応する自己変化量を求める自己容量情報取得ステップと、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得ステップと、
自己変化量、相互変化量、第１自己しきい値、第２自己しきい値、第１相互しきい値、第２相互しきい値に基づいて、前記タッチパネルへの指示体の接触の検知、前記タッチパネルへの指示体以外の接触の検知、異常検知を行う接触判断ステップと、
を有し、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルへの指示体以外の接触があるまたは異常と判断するための値であり、
前記接触判断ステップは、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲にも前記第２自己しきい値が示す前記タッチパネルが異常と判断する範囲にもなく、かつ、相互変化量の符号を前記第２相互しきい値と同じ符号になるようにした値が前記第２相互しきい値が示す前記タッチパネルへの指示体以外の接触があるまたは異常と判断する範囲にあるときは、前記タッチパネルへの指示体以外の接触があるまたは異常と判断し、
自己変化量が前記第２自己しきい値が示す前記タッチパネルが異常と判断する範囲にあるときは、異常と判断する
ことを特徴とする制御方法。
【請求項５】
請求項４記載の制御方法であって、
さらに、
前記接触判断ステップが指示体以外の接触があるまたは異常と判断した自己変化量と相互変化量の組合せに対応する前記Ｘ電極と前記Ｙ電極とが交差する位置を、前記タッチパネルに表示する付着または異常表示ステップも有する
ことを特徴とする制御方法。
【請求項６】
請求項１から５のいずれかに記載の制御方法であって、
前記接触判断ステップが異常と判断した場合に、前記タッチパネルに、タッチパネルの表面をきれいにすることを求める表示をし、所定時間後にリセットするリセットステップを有する
ことを特徴とする制御方法。
【請求項７】
請求項１から６のいずれかに記載の制御方法であって、
前記接触判断ステップが異常と判断した自己変化量と相互変化量の組合せに対応する前記Ｘ電極と前記Ｙ電極が交差する位置、または、前記接触判断ステップが異常と判断した自己変化量に対応する前記Ｘ電極もしくは前記Ｙ電極の位置を、前記タッチパネルに表示する異常表示ステップを有する
ことを特徴とする制御方法。
【請求項８】
請求項１から７のいずれかに記載の制御方法であって、
相互変化量に応じた表示を前記タッチパネルに示す変化量表示ステップを有する
ことを特徴とする制御方法。
【請求項９】
請求項１から８のいずれかに記載の制御方法であって、
自己変化量と相互変化量に応じた表示を前記タッチパネルに示す変化量表示ステップを有する
ことを特徴とする制御方法。
【請求項１０】
請求項１から９のいずれかに記載の制御方法であって、
前記タッチパネルの応答性能が下がった場合に、前記タッチパネルに指示体をゆっくり動かすことを求める表示をする状況表示ステップを有する
ことを特徴とする制御方法。
【請求項１１】
二次元の１つの方向をＸ方向、Ｘ方向に直交する方向をＹ方向とし、Ｘ方向に配列された複数のＸ電極と、Ｙ方向に配列された複数のＹ電極を有するタッチパネルと、
自己容量方式で、前記Ｘ電極ごとおよび前記Ｙ電極ごとに、前記タッチパネルへの接触に関する情報を取得し、静電容量の変化量に対応する自己変化量を求める自己容量情報取得部と、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得部と、
自己変化量、相互変化量、第１自己しきい値、第２自己しきい値、第１相互しきい値、第２相互しきい値に基づいて、前記タッチパネルへの指示体の接触の検知、前記タッチパネルへの指示体以外の接触の検知、異常検知を行う接触判断部と、
を備え、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルへの指示体以外の接触があると判断するための値であり、
前記接触判断部は、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲にも前記第２自己しきい値が示す前記タッチパネルが異常と判断する範囲にもなく、かつ、相互変化量の符号を前記第２相互しきい値と同じ符号になるようにした値が前記第２相互しきい値が示す前記タッチパネルへの指示体以外の接触があると判断する範囲にあるときは、前記タッチパネルへの指示体以外の接触があると判断し、
自己変化量が前記第２自己しきい値が示す前記タッチパネルが異常と判断する範囲にあるときは、異常と判断する
ことを特徴とするタッチパネル装置。
【請求項１２】
二次元の１つの方向をＸ方向、Ｘ方向に直交する方向をＹ方向とし、Ｘ方向に配列された複数のＸ電極と、Ｙ方向に配列された複数のＹ電極を有するタッチパネルと、
自己容量方式で、前記Ｘ電極ごとおよび前記Ｙ電極ごとに、前記タッチパネルへの接触に関する情報を取得し、静電容量の変化量に対応する自己変化量を求める自己容量情報取得部と、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得部と、
自己変化量、相互変化量、第１自己しきい値、第２自己しきい値、第１相互しきい値、第２相互しきい値に基づいて、前記タッチパネルへの指示体の接触の検知、異常検知を行う接触判断部と、
を備え、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルが異常と判断するための値であり、
前記接触判断部は、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲になく、かつ、相互変化量の符号を前記第２相互しきい値と同じ符号になるようにした値が前記第２相互しきい値が示す前記タッチパネルが異常と判断する範囲にあるときは、異常と判断し、
自己変化量が前記第２自己しきい値が示す前記タッチパネルが異常と判断する範囲にあるときは、異常と判断する
ことを特徴とするタッチパネル装置。
【請求項１３】
二次元の１つの方向をＸ方向、Ｘ方向に直交する方向をＹ方向とし、Ｘ方向に配列された複数のＸ電極と、Ｙ方向に配列された複数のＹ電極を有するタッチパネルと、
自己容量方式で、前記Ｘ電極ごとおよび前記Ｙ電極ごとに、前記タッチパネルへの接触に関する情報を取得し、静電容量の変化量に対応する自己変化量を求める自己容量情報取得部と、
前記Ｘ電極と前記Ｙ電極の一方を送信側電極、他方を受信側電極として、相互容量方式で、前記Ｘ電極と前記Ｙ電極の組ごとに、前記タッチパネルへの接触に関する情報を取得し、静電容量の変化量に対応する相互変化量を求める相互容量情報取得部と、
自己変化量、相互変化量、第１自己しきい値、第２自己しきい値、第１相互しきい値、第２相互しきい値に基づいて、前記タッチパネルへの指示体の接触の検知、前記タッチパネルへの指示体以外の接触の検知、異常検知を行う接触判断部と、
を備え、
前記第１自己しきい値は、前記タッチパネルへの指示体の接触があると判断するための値であり、
前記第２自己しきい値は、前記第１自己しきい値と異なる符号であり、前記タッチパネルが異常と判断するための値であり、
前記第１相互しきい値は、前記タッチパネルへの指示体の接触があると判断するための値であり、
前記第２相互しきい値は、前記タッチパネルへの指示体以外の接触があるまたは異常と判断するための値であり、
前記接触判断部は、
自己変化量が前記第１自己しきい値が示す前記タッチパネルへの指示体の接触があると判断する範囲にあり、かつ、相互変化量が前記第１相互しきい値が示す前記タッチパネルへの指示体の接触があると判断する範囲にあるときは、前記タッチパネルへの指示体の接触があると判断し、
自己変化量が前記第１自己しきい値が示す前記タッチパネルへの指示体の接触があると判断する範囲にあり、かつ、相互変化量があらかじめ定めた時間以上、前記第１相互しきい値が示す前記タッチパネルへの指示体の接触があると判断する範囲にないときは、異常と判断し、
自己変化量が前記第１自己しきい値が示す前記タッチパネルへの指示体の接触があると判断する範囲にも前記第２自己しきい値が示す前記タッチパネルが異常と判断する範囲にもなく、かつ、相互変化量の符号を前記第２相互しきい値と同じ符号になるようにした値が前記第２相互しきい値が示す前記タッチパネルへの指示体以外の接触があると判断する範囲にあるときは、前記タッチパネルへの指示体以外の接触があるまたは異常と判断し、
自己変化量が前記第２自己しきい値が示す前記タッチパネルが異常と判断する範囲にあるときは、異常と判断する
ことを特徴とするタッチパネル装置。
【請求項１４】
請求項１から１０のいずれかに記載の制御方法の各ステップをコンピュータに実行させるための制御プログラム。
【請求項１５】
請求項１４記載の制御プログラムを記録したコンピュータ読み取り可能な記録媒体。
【発明の詳細な説明】
【技術分野】
【０００１】
本発明は、液晶ディスプレイなどの表示装置に装着され、二次元の１つの方向をＸ方向、Ｘ方向に直交する方向をＹ方向とし、Ｘ方向に配列された複数のＸ電極と、Ｙ方向に配列された複数のＹ電極を有するタッチパネルの制御方法、タッチパネル装置、制御プログラム、記録媒体に関する。
【背景技術】
【０００２】
タッチパネル装置に関する従来技術として特許文献１などが知られている。特許文献１の要約には、課題として『タッチパネルが複雑になりタッチパネルのコストが上昇することを回避しながら、接触物が非指示体であるか否かを接触物が接触する位置を用いないで判定し、非指示体が接触する位置が出力される誤検出を抑制する。』と記載され、解決手段には、『複数の方式の各々によりタッチセンサパネルに備えられる複数のセンサで静電容量の変化が計測される。複数の計測値に基づいて、接触物が接触する位置が算出され、接触物が非指示体であるか否かが判定される。算出された位置の出力が行われる。接触物が非指示体であると判定された場合は、算出された位置に基づいて出力停止領域がタッチセンサパネル上に設定される。算出された位置が出力停止領域に含まれる場合は、出力が停止される。複数の方式は、指示体が接触する場合に取得される計測値と非指示体が接触する場合に取得される計測値との識別可否の位置依存性に関して互いに異なる特性を有する。』と記載されている。図１は、特許文献１の図１である。
【先行技術文献】
【特許文献】
【０００３】
【特許文献１】特開２０１７−１６７５８３号公報
【発明の概要】
【発明が解決しようとする課題】
【０００４】
従来技術は、出力停止領域を設定することで誤検出を抑制している。しかしながら、操作者が接触したい位置が出力停止領域にあると、操作できないこと、改善方法も分からないことなどから操作者に多大なストレスを与えてしまうという課題がある。【０００５】
本発明は、操作者がタッチパネルの前にいることを考慮し、操作者に与えるストレスを軽減できるタッチパネル装置を提供することを目的とする。
【課題を解決するための手段】
【０００６】
本発明のタッチパネルの制御方法は、自己容量情報取得ステップ、相互容量情報取得ステップ、接触判断ステップを実行する。タッチパネルは、二次元の１つの方向をＸ方向、Ｘ方向に直交する方向をＹ方向とし、Ｘ方向に配列された複数のＸ電極と、Ｙ方向に配列された複数のＹ電極を有する。自己容量情報取得ステップは、自己容量方式で、Ｘ電極ごとおよびＹ電極ごとに、タッチパネルへの接触に関する情報を取得し、静電容量の変化量に対応する自己変化量を求める。相互容量情報取得ステップは、Ｘ電極とＹ電極の一方を送信側電極、他方を受信側電極として、相互容量方式で、Ｘ電極とＹ電極の組ごとに、タッチパネルへの接触に関する情報を取得し、静電容量の変化量に対応する相互変化量を求める。本発明のいずれの接触判断ステップも、自己変化量、相互変化量、第１自己しきい値、第２自己しきい値、第１相互しきい値、第２相互しきい値に基づいて、タッチパネルへの指示体の接触の検知、異常検知を行う。第１の発明の接触判断ステップは、タッチパネルへの指示体の接触の検知、タッチパネルへの指示体以外の接触の検知、異常検知を行う。第１自己しきい値は、タッチパネルへの指示体の接触があると判断するための値である。第２自己しきい値は、第１自己しきい値と異なる符号であり、タッチパネルが異常と判断するための値である。第１相互しきい値は、タッチパネルへの指示体の接触があると判断するための値である。第１の発明では、第２相互しきい値は、タッチパネルへの指示体以外の接触があると判断するための値である。接触判断ステップは、自己変化量が第１自己しきい値が示すタッチパネルへの指示体の接触があると判断する範囲にあり、かつ、相互変化量が第１相互しきい値が示すタッチパネルへの指示体の接触があると判断する範囲にあるときは、タッチパネルへの指示体の接触があると判断する。接触判断ステップは、自己変化量が第１自己しきい値が示すタッチパネルへの指示体の接触があると判断する範囲にあり、かつ、相互変化量があらかじめ定めた時間以上、第１相互しきい値が示すタッチパネルへの指示体の接触があると判断する範囲にないときは、異常と判断する。第１の発明の接触判断ステップは、自己変化量が第１自己しきい値が示すタッチパネルへの指示体の接触があると判断する範囲にも第２自己しきい値が示すタッチパネルが異常と判断する範囲にもなく、かつ、相互変化量の符号を第２相互しきい値と同じ符号になるようにした値が第２相互しきい値が示すタッチパネルへの指示体以外の接触があると判断する範囲にあるときは、タッチパネルへの指示体以外の接触があると判断する。接触判断ステップは、自己変化量が第２自己しきい値が示すタッチパネルが異常と判断する範囲にあるときは、異常と判断する。【０００７】
第２の発明では、第２相互しきい値を、タッチパネルが異常と判断するための値とする。第２の発明の接触判断ステップは、自己変化量が第１自己しきい値が示すタッチパネルへの指示体の接触があると判断する範囲になく、かつ、相互変化量の符号を第２相互しきい値と同じ符号になるようにした値が第２相互しきい値が示すタッチパネルが異常と判断する範囲にあるときは、異常と判断する。【０００８】
第３の発明では、第２相互しきい値を、タッチパネルへの指示体以外の接触があるまたは異常と判断するための値とする。第３の発明の接触判断ステップは、自己変化量が第１自己しきい値が示すタッチパネルへの指示体の接触があると判断する範囲になく、かつ、相互変化量の符号を第２相互しきい値と同じ符号になるようにした値が第２相互しきい値が示すタッチパネルへの指示体以外の接触があるまたは異常と判断する範囲にあるときは、指示体以外の接触があるまたは異常と判断する。
【発明の効果】
【０００９】
本発明のいずれかの制御方法を実行するタッチパネル装置によれば、自己容量方式と相互容量方式を利用して、少なくとも指示体が接触しているか、異常かを判断できる。よって、操作者にタッチパネルの状態を認識してもらうこと、タッチパネルに対する処置などを依頼することなどの付加的な機能を追加しやすい。したがって、操作者に与えるストレスを軽減できる。【００１０】
なお、操作者にタッチパネルの状態を認識してもらうこと、タッチパネルに対する処置などを依頼することは、タッチパネル装置本体またはタッチパネル装置が装着されている表示装置への表示により行うが、明細書および請求項では両者を含めて「タッチパネルに表示」と表現する。
【図面の簡単な説明】
【００１１】
【図１】特許文献１の図１を示す図。
【図２】本発明のタッチパネル装置の機能構成例を示す図。
【図３】タッチパネルと電極との関係を示す図。
【図４】タッチパネルの一部を拡大し、自己変化量と相互変化量の例を示している図。
【図５】実施例１のタッチパネル装置の処理フロー例（第１の発明の制御方法）を示す図。
【図６】実施例１の場合の自己変化量、相互変化量、第１自己しきい値、第２自己しきい値、第１相互しきい値、第２相互しきい値と、指示体の接触の検知、指示体以外の接触の検知、異常検知の関係を示す図。
【図７】付着表示部が指示体以外の接触があることを表示する例を示す図。
【図８】異常表示部がＸ電極１１０ｍとＹ電極１２０ｎとが交差する位置が異常であることを示している例を示す図。
【図９】異常表示部がＸ電極１１０ｍの位置が異常であることを示している例を示す図。
【図１０】変化量表示部が相互変化量に応じた表示をタッチパネルに表示した例を示す図。
【図１１】変化量表示部が自己変化量と相互変化量に応じた表示をタッチパネルに表示した例を示す図。
【図１２】変形例１のタッチパネル装置の処理フロー例（第２の発明の制御方法）を示す図。
【図１３】変形例１の場合の自己変化量、相互変化量、第１自己しきい値、第２自己しきい値、第１相互しきい値、第２相互しきい値と、指示体の接触の検知、異常検知の関係を示す図。
【図１４】図７と同様の状況での本変形１のときの表示であり、異常表示部がＸ電極１１０ｍとＹ電極１２０ｎとが交差する位置が異常であることを示している例を示す図。
【図１５】変形例２のタッチパネル装置の処理フロー例（第３の発明の制御方法）を示す図。
【図１６】図７と同様の状況での本変形２のときの表示であり、付着または異常表示部が付着または異常があることを示している例を示す図。
【図１７】コンピュータの機能構成例を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
図２に、本発明のタッチパネル装置の機能構成例を示す。図３は、タッチパネルと電極との関係を示す図である。図４はタッチパネルの一部を拡大し、自己変化量と相互変化量の例を示している図である。図５は、実施例１のタッチパネル装置の処理フロー例（第１の発明の制御方法）である。タッチパネル装置１０は、タッチパネル１００、自己容量情報取得部２１０、相互容量情報取得部２２０、接触判断部３００を備える。タッチパネル１００は、二次元の１つの方向をＸ方向、Ｘ方向に直交する方向をＹ方向とし、Ｘ方向に配列されたＭ個のＸ電極１１０１，…，１１０Ｍと、Ｙ方向に配列されたＮ個のＹ電極１２０１，…，１２０Ｎを有する。ただし、ＭとＮは２以上の整数である。また、ｍは１以上Ｍ以下の整数、ｎは１以上Ｎ以下の整数とする。Ｘ電極１１０１，…，１１０ＭとＹ電極１２０１，…，１２０Ｎは、互いに絶縁されている。図３のタッチパネル１００の上側にはＸ電極の番号が付され、左側にはＹ電極の番号が付されている。Ｘ電極１１０ｍは、上側にＸｍと付された縦長の電極である。Ｙ電極１２０ｎは、左側にＹｎと付された横長の電極である。図３では、Ｘ電極１１０ｍとＹ電極１２０ｎは太線で示されている。図３では、Ｘ電極１１０１，…，１１０ＭとＹ電極１２０１，…，１２０Ｎは長方形のように示されている。しかし、一般的には、Ｘ電極１１０ｍはＹ軸方向に配列された多数のひし形をつないだ形状であり、Ｙ電極１２０ｎはＸ軸方向に配列された多数のひし形をつないだ形状である。ただし、本発明は、長方形の電極またはひし形をつないだ形状の電極に限定する必要はなく、他の形状でも利用できる。【００１４】
自己容量情報取得部２１０は、自己容量方式で、Ｘ電極１１０ｍごとおよびＹ電極１２０ｎごとに、タッチパネル１００への接触に関する情報を取得し、静電容量の変化量に対応する自己変化量を求める（Ｓ２１０：自己容量情報取得ステップ）。相互容量情報取得部２２０は、Ｘ電極１１０ｍとＹ電極１２０ｎの一方を送信側電極、他方を受信側電極として、相互容量方式で、Ｘ電極１１０ｍとＹ電極１２０ｎの組ごとに、タッチパネル１００への接触に関する情報を取得し、静電容量の変化量に対応する相互変化量を求める（Ｓ２２０：相互容量情報取得ステップ）。図示していないが、静電容量の計測はタッチパネル用のＩＣを用いればよい。自己容量情報取得部２１０と相互容量情報取得部２２０は、数ｍ秒のサンプリング間隔で静電容量は計測され、複数の計測値の平均値から求めた自己変化量と相互変化量を、タッチパネル用のＩＣから取得すればよい。なお、平均化する処理は、ＩＣが行ってもよいし、自己容量情報取得部２１０と相互容量情報取得部２２０が行ってもよい。【００１５】
図４は、タッチパネル１００のＸ電極１１０１，…，１１０１１とＹ電極１２０１，…，１２０７の範囲を拡大した図である。図４では、タッチパネル１００の下側にＸ電極ごとの自己変化量、右側にＹ電極ごとの自己変化量の例が示されている。また、図４では、タッチパネル１００上のＸ電極とＹ電極が交わる部分に、相互変化量の例が示されている。自己変化量は、１つの電極と接地との間の静電容量の変化量（何も接触していないときの静電容量からの変化量）から求められる数値（デジタル化した数値）であり、静電容量そのものである必要はなく、静電容量と所定の関係を有する数値であればよい。相互変化量は、Ｘ電極１１０ｍとＹ電極１２０ｎとの間の静電容量の変化量（何も接触していないときの静電容量からの変化量）から求められる数値（デジタル化した数値）であり、静電容量そのものである必要はなく、静電容量と所定の関係を有する数値であればよい。「指示体」とは、指、タッチペンなどを意味しており、人の体などを通じて接地とつながっている。したがって、指示体がタッチパネル１００に接触した場合、自己変化量も相互変化量も大きく変化する。一方、「指示体以外」とは、接地とつながっていないような水、油などを意味している。指示体以外がタッチパネル１００に接触した場合、相互変化量は指示体以外の影響によって静電容量が変化するが、自己変化量はほとんど変化しない。図４に示した例は相互変化量も自己変化量も大きく変化しているので、Ｘ電極１１０６，１１０７とＹ電極１２０４，１２０５が交わるあたりに指などの指示体が接触した例である。【００１６】
接触判断部３００は、自己変化量、相互変化量、第１自己しきい値、第２自己しきい値、第１相互しきい値、第２相互しきい値に基づいて、タッチパネル１００への指示体の接触の検知、タッチパネル１００への指示体以外の接触の検知、異常検知を行う（Ｓ３００：接触判断ステップ）。第１自己しきい値は、タッチパネルへの指示体の接触があると判断するための値である。言い換えると、第１自己しきい値は、タッチパネルへの指示体の接触があると判断する範囲を示すための値である。第２自己しきい値は、第１自己しきい値と異なる符号であり、タッチパネルが異常と判断するための値である。言い換えると、第２自己しきい値は、タッチパネルが異常と判断する範囲を示すための値である。第１相互しきい値は、タッチパネルへの指示体の接触があると判断するための値である。言い換えると、第１相互しきい値は、タッチパネルへの指示体の接触があると判断する範囲を示すための値である。第２相互しきい値は、タッチパネルへの指示体以外の接触があると判断するための値である。言い換えると、第２相互しきい値は、タッチパネルへの指示体以外の接触があると判断する範囲を示すための値である。図６に、自己変化量、相互変化量、第１自己しきい値、第２自己しきい値、第１相互しきい値、第２相互しきい値と、指示体の接触の検知、指示体以外の接触の検知、異常検知の関係の例を示す。【００１７】
接触判断部３００は、自己変化量が第１自己しきい値が示すタッチパネルへの指示体の接触があると判断する範囲にあり、かつ、相互変化量が第１相互しきい値が示すタッチパネルへの指示体の接触があると判断する範囲にあるときは、タッチパネルへの指示体の接触があると判断する。図６の「Ａ」の範囲が、自己変化量が第１自己しきい値が示すタッチパネルへの指示体の接触があると判断する範囲（例えば、第１自己しきい値が正の数の場合、自己変化量≧第１自己しきい値）、かつ、相互変化量が第１相互しきい値が示すタッチパネルへの指示体の接触があると判断する範囲（例えば、第１相互しきい値が正の数の場合、相互変化量≧第１相互しきい値）である。【００１８】
接触判断部３００は、自己変化量が第１自己しきい値が示すタッチパネルへの指示体の接触があると判断する範囲にあり、かつ、相互変化量があらかじめ定めた時間以上、第１相互しきい値が示すタッチパネルへの指示体の接触があると判断する範囲にないときは、異常と判断する。図６の「Ｂ」の範囲が、自己変化量が第１自己しきい値が示すタッチパネルへの指示体の接触があると判断する範囲（例えば、第１自己しきい値が正の数の場合、自己変化量≧第１自己しきい値）、かつ、相互変化量が第１相互しきい値が示すタッチパネルへの指示体の接触があると判断する範囲にない（例えば、第１相互しきい値が正の数の場合、相互変化量＜第１相互しきい値）である。「あらかじめ定めた時間以上」と定めているのは、指示体が接触はしていなくても近傍にある場合、ノイズの影響がある場合などには、自己変化量と相互変化量の組合せが「Ｂ」の範囲に入ることはあり得るので、１回の判断で異常と判断してしまわないためである。「あらかじめ定めた時間」は、サンプリング間隔、タッチパネル装置１０を配置している環境などから適宜定めればよい。【００１９】
接触判断部３００は、自己変化量が第１自己しきい値が示すタッチパネルへの指示体の接触があると判断する範囲にも第２自己しきい値が示すタッチパネルが異常と判断する範囲にもなく、かつ、相互変化量の符号を第２相互しきい値と同じ符号になるようにした値が第２相互しきい値が示すタッチパネルへの指示体以外の接触があると判断する範囲にあるときは、タッチパネルへの指示体以外の接触があると判断する。図６の「Ｃ」の範囲が、自己変化量が第１自己しきい値が示すタッチパネルへの指示体の接触があると判断する範囲にも第２自己しきい値が示すタッチパネルが異常と判断する範囲にもなく（例えば、第１自己しきい値が正の数、第２自己しきい値が負の数の場合、第２自己しきい値＜自己変化量＜第１自己しきい値）、かつ、相互変化量の符号を第２相互しきい値と同じ符号になるようにした値が第２相互しきい値が示すタッチパネルへの指示体以外の接触があると判断する範囲（例えば、第２相互しきい値を正の数とした場合、｜相互変化量｜≧第２相互しきい値）である。なお、図６は、第２相互しきい値が第１相互しきい値と同じ符号（正の数）の場合を示しているが、第２相互しきい値と第１相互しきい値の符号は異なってもよい。第２相互しきい値を第１相互しきい値と異なる符号（負の数）にした場合は、相互変化量の符号を第２相互しきい値と同じ符号になるようにした値は負の数になる。この場合は、「相互変化量の符号を第２相互しきい値と同じ符号になるようにした値が第２相互しきい値が示すタッチパネルへの指示体以外の接触があると判断する範囲」を、−｜相互変化量｜≦第２相互しきい値のように定義すればよい。図６では、「第２相互しきい値」と「−第２相互しきい値」を逆にすれば、第２相互しきい値が負の数の場合となる。【００２０】
接触判断部３００は、自己変化量が第２自己しきい値が示すタッチパネルが異常と判断する範囲にあるときは、異常と判断する。図６の「Ｄ」の範囲が、自己変化量が第２自己しきい値が示すタッチパネルが異常と判断する範囲（例えば、第２自己しきい値が負の数の場合、自己変化量≦第２自己しきい値）である。【００２１】
タッチパネル装置１０は、接触判断部３００の出力をタッチパネル１００などに表示することで、操作者にタッチパネルの状態を提示すればよい。このように、本発明のタッチパネル装置１０であれば、自己容量方式と相互容量方式を利用して、指示体が接触しているか、指示体以外が接触しているか、異常かを判断できる。よって、操作者にタッチパネルの状態を認識してもらうこと、タッチパネルに対する処置などを依頼することなどの付加的な機能を追加しやすい。したがって、操作者に与えるストレスを軽減できる。【００２２】
また、タッチパネル装置１０は、選択的に、付着表示部４１０、異常表示部４２０、リセット部６００、変化量表示部４３０、状況表示部４４０、ノイズ対策部５００を備えてもよい。【００２３】
付着表示部４１０は、接触判断部３００（接触判断ステップＳ３００）が指示体以外の接触があると判断した自己変化量と相互変化量の組合せに対応するＸ電極１１０ｍとＹ電極１２０ｎとが交差する位置を、タッチパネル１００に表示する（Ｓ４１０：付着表示ステップ）。図７は、付着表示部が指示体以外の接触があることを表示する例である。図７のように、Ｆ１の部分の色を変え、指示体以外が付着していることを示せばよい。付着している部分の面積が小さいために操作者に分かりにくいときは、Ｆ２のように付着している部分の回りも色を変更するなどし、操作者に分かりやすくすればよい。付着表示部４１０も備えれば、操作者に水、油などが付着している場所を認識させることができるので、操作者にタッチパネル１００上のどこを拭けばいいのかを提示できる。例えば、操作者がタッチパネル１００の全面を拭いても、引き続きタッチパネル１００の感度が悪い場合、タッチパネル装置１０が指示体以外の接触があると判断してしまう場合などに、付着表示部４１０を備えていれば、操作者のストレスを軽減できる。【００２４】
異常表示部４２０は、接触判断部３００（接触判断ステップＳ３００）が異常と判断した自己変化量と相互変化量の組合せに対応するＸ電極１１０ｍとＹ電極１２０ｎとが交差する位置、または、接触判断部３００（接触判断ステップＳ３００）が異常と判断した自己変化量に対応するＸ電極１１０ｍもしくはＹ電極１２０ｎの位置を、タッチパネル１００に表示する（Ｓ４２０：異常表示ステップ）。この処理は、図６の「Ｂ」または「Ｄ」の範囲に自己変化量と相互変化量の組合せがあるときの処理である。図６の「Ｂ」に自己変化量と相互変化量の組合せがあるときは、Ｘ電極１１０ｍとＹ電極１２０ｎとが交差する位置を表示する。図８が、異常表示部がＸ電極１１０ｍとＹ電極１２０ｎとが交差する位置が異常であることを示している例である。図中のＰ１が示している部分がＸ電極１１０ｍとＹ電極１２０ｎとが交差する位置であり、色を変えている部分である。Ｐ１の面積が小さすぎるときは、操作者に分かりやすくするためにＰ２のようにＰ１の回りも色を変えればよい。図６の「Ｄ」に自己変化量があるときは、Ｘ電極１１０ｍの位置を表示する。図９が、異常表示部がＸ電極１１０ｍの位置が異常であることを示している例である。図中のＳ１が示している部分がＸ電極１１０ｍの位置であり、色を変えている部分である。Ｓ１の幅が狭すぎるときは、操作者に分かりやすくするためにＳ２のようにＳ１の回りも色を変えればよい。異常表示部４２０も備えれば、タッチパネル１００のどの位置が異常の状態なのかが分かるため、操作者に与えるストレスを低減できる。【００２５】
リセット部６００は、接触判断部３００（接触判断ステップＳ３００）が異常と判断した場合に、タッチパネル１００に、タッチパネル１００の表面をきれいにすることを求める表示をし、所定時間後にリセットする（Ｓ６００：リセットステップ）。異常と判断された場合は、復旧のためにタッチパネル装置１０をリセットすることが望ましい場合が多い。リセット部６００は、異常表示部４２０が異常な位置を表示した後に動作してもよい。何も接触していないときの静電容量は温度などの周囲の環境で変化するので、環境の変化に起因する静電容量の変化のような緩やかな変化の場合は、変化量として扱うのではなく、何も接触していないときの静電容量を変化させるようなキャリブレーション（ゼロ点の調整）を行うことがある。しかし、適切にキャリブレーションの処理が行われなかったなどの理由で異常になることもある。リセット部６００は、このような状態で異常になったタッチパネル装置１０を初期化する効果がある。したがって、操作者に与えるストレスを低減できる。【００２６】
変化量表示部４３０は、少なくとも相互変化量に応じた表示をタッチパネルに示す（Ｓ４３０：変化量表示ステップ）。変化量表示部４３０は、自己変化量に応じた表示もタッチパネルに示してもよい。図１０は変化量表示部が相互変化量に応じた表示をタッチパネルに表示した例、図１１は変化量表示部が自己変化量と相互変化量に応じた表示をタッチパネルに表示した例である。自己変化量と相互変化量は、図４に示したような数値である。変化量表示部４３０は、これらの数値を複数の段階に分け、色と濃さを変えることで、どの程度変化しているのかを示せばよい。図１０，１１では、色が濃いところほど変化量が大きいことを示している。変化量表示部４３０を備えれば、視覚的にタッチパネル１００の状態を確認できるので、操作者に与えるストレスを低減できる。【００２７】
状況表示部４４０は、タッチパネル１００の応答性能が低下した場合に、タッチパネル１００に指示体をゆっくり動かすことを求める表示をする（Ｓ４４０：状況表示ステップ）。上述のタッチパネル用のＩＣを用いる場合、ノイズが多くなると自動的に平均化するサンプル数を多くするノイズ対策が施されることがある。例えば、平均化するサンプル数を１０倍程度に増やすこともある。このように平均化するサンプル数を増やすと、タッチパネル１００の応答性能が低下する。したがって、状況表示部４４０は、平均化するサンプル数があらかじめ定めたしきい値よりも多くなったときに、タッチパネル１００に指示体をゆっくり動かすことを求める表示をすればよい。状況表示部４４０を備えれば、タッチパネル１００の応答性能を低下させていることを操作者に知らせることができるので、操作者に与えるストレスを低減できる。【００２８】
また、タッチパネル用のＩＣが平均化処理を行わない場合およびＩＣではノイズ対策を行わない場合には、状況表示部４４０に加えてノイズ対策部５００を備えてもよい。ノイズ対策部５００は、静電容量の計測値に含まれるノイズのレベルを測定し、ノイズのレベルに応じて平均化するサンプル数を変更する（Ｓ５００）。状況表示部４４０は、平均化するサンプル数があらかじめ定めたしきい値よりも多くなったときに、タッチパネル１００に指示体をゆっくり動かすことを求める表示をすればよい（Ｓ４４０：状況表示ステップ）。このように、ノイズ対策部５００と状況表示部４４０を備えれば、ノイズ対策を施しながら、操作者のストレスを軽減できる。【００２９】
［変形例１］
実施例１では、図６の「Ｃ」の範囲を、タッチパネルへ指示体以外の接触があると判断する範囲としていた。この範囲を、異常と判断する選択肢もあり得る。この場合のタッチパネル装置の処理フロー（第２の発明の制御方法）を図１２に示す。指示体以外の接触という判断が無いので、図５の付着表示（Ｓ４１０）が削除されている。図１３に、本変形例の場合の自己変化量、相互変化量、第１自己しきい値、第２自己しきい値、第１相互しきい値、第２相互しきい値と、指示体の接触の検知、異常検知の関係を示す。図６の「Ｃ」，「Ｄ」を合わせた範囲が、図１３では「Ｅ」の範囲となっている。【００３０】
第１自己しきい値、第２自己しきい値、第１相互しきい値は、実施例１と同じである。本変形例では、第２相互しきい値は、タッチパネルが異常と判断するための値である。言い換えると、第２相互しきい値は、タッチパネルが異常と判断する範囲を示すための値である。本変形例では、実施例１の接触判断部３００の代わりに接触判断部３０１を備える。そして、接触判断部３０１は、自己変化量が第１自己しきい値が示すタッチパネルへの指示体の接触があると判断する範囲になく、かつ、相互変化量の符号を第２相互しきい値と同じ符号になるようにした値が第２相互しきい値が示すタッチパネルが異常と判断する範囲にあるときは、異常と判断する。なお、「Ａ」の範囲、「Ｂ」の範囲、「Ｅ」の中の図６「Ｄ」の範囲に相当する範囲の判断は、実施例１と同じである。図１３は、第２相互しきい値が正の数の場合を示している。第２相互しきい値は負の数でもよい。その理由は、実施例１で説明した理由と同じである。【００３１】
異常表示部４２０は、「Ｅ」の中の図６「Ｃ」の範囲に相当するときにも、自己変化量と相互変化量の組合せに対応するＸ電極１１０ｍとＹ電極１２０ｎとが交差する位置を、タッチパネル１００に表示する（Ｓ４２０：異常表示ステップ）。図１４は、図７と同様の状況での本変形例のときの表示であり、異常表示部がＸ電極１１０ｍとＹ電極１２０ｎとが交差する位置が異常であることを示している例である。図中のＦ１が示している部分がＸ電極１１０ｍとＹ電極１２０ｎとが交差する位置であり、色を変えている部分である。Ｆ１の面積が小さすぎるときは、操作者に分かりやすくするためにＦ２のようにＦ１の回りも色を変えればよい。【００３２】
本発明のタッチパネル装置によれば、自己容量方式と相互容量方式を利用して、指示体が接触しているか、異常かを判断できる。よって、操作者にタッチパネルの状態を認識してもらうこと、タッチパネルに対する処置などを依頼することなどの付加的な機能を追加しやすい。したがって、操作者に与えるストレスを軽減できる。【００３３】
［変形例２］
実施例１では、図６の「Ｃ」の範囲を、タッチパネルへ指示体以外の接触があると判断する範囲としていた。本変形例では、この範囲を、タッチパネルへ指示体以外の接触があるまたは異常と判断する範囲とする。本変形例では、第２相互しきい値は、タッチパネルへの指示体以外の接触があるまたは異常と判断するための値である。言い換えると、第２相互しきい値は、タッチパネルへの指示体以外の接触があるまたは異常と判断する範囲を示すための値である。なお、実施例１での説明と同じように、第２相互しきい値は、第１相互しきい値と同じ符号でも異なる符号でもよい。この場合のタッチパネル装置の処理フロー（第３の発明の制御方法）を図１５に示す。第１自己しきい値、第２自己しきい値、第１相互しきい値、第２相互しきい値は実施例１と同じである。【００３４】
本変形例では、実施例１の接触判断部３００の代わりに接触判断部３０２を備え、付着表示部４１０の代わりに付着または異常表示部４１１を備える。接触判断部３０２は、自己変化量が第１自己しきい値が示すタッチパネルへの指示体の接触があると判断する範囲にも第２自己しきい値が示すタッチパネルが異常と判断する範囲にもなく、かつ、相互変化量の符号を第２相互しきい値と同じ符号になるようにした値が第２相互しきい値が示すタッチパネルへの指示体以外の接触があるまたは異常と判断する範囲にあるときは、タッチパネルへの指示体以外の接触があるまたは異常と判断する。接触判断部３０２の「Ａ」の範囲、「Ｂ」の範囲、「Ｄ」の範囲の判断は、実施例１の接触判断部３００と同じである。異常表示部４２０は、実施例１と同じである。【００３５】
図１６は、図７と同様の状況での本変形例のときの表示であり、付着または異常表示部が、付着または異常であることを示している例である。付着または異常表示部４１１は、図６「Ｃ」の範囲に相当するときは、自己変化量と相互変化量の組合せに対応するＸ電極１１０ｍとＹ電極１２０ｎとが交差する位置を、タッチパネル１００に表示する（Ｓ４１１：付着または異常表示ステップ）。図１６の中のＦ１が示している部分がＸ電極１１０ｍとＹ電極１２０ｎとが交差する位置であり、色を変えている部分である。Ｆ１の面積が小さすぎるときは、操作者に分かりやすくするためにＦ２のようにＦ１の回りも色を変えればよい。【００３６】
本発明のタッチパネル装置によれば、自己容量方式と相互容量方式を利用して、指示体が接触しているか、指示体以外が接触または異常かを判断できる。よって、操作者にタッチパネルの状態を認識してもらうこと、タッチパネルに対する処置などを依頼することなどの付加的な機能を追加しやすい。したがって、操作者に与えるストレスを軽減できる。【００３７】
［プログラム、記録媒体］
上述の各種の処理は、図１７に示すコンピュータの記録部２０２０に、上記方法の各ステップを実行させるプログラムを読み込ませ、制御部２０１０、入力部２０３０、出力部２０４０などに動作させることで実施できる。【００３８】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。【００３９】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。【００４０】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。【００４１】
また、この形態では、コンピュータ上で所定のプログラムを実行させることにより、本装置を構成することとしたが、これらの処理内容の少なくとも一部をハードウェア的に実現することとしてもよい。
【符号の説明】
【００４２】
１０  タッチパネル装置                  １００  タッチパネル
１１０  Ｘ電極                          １２０  Ｙ電極
２１０  自己容量情報取得部              ２２０  相互容量情報取得部
３００，３０１，３０２  接触判断部      ４１０  付着表示部
４１１  付着または異常表示部            ４２０  異常表示部
４３０  変化量表示部                    ４４０  状況表示部
５００  ノイズ対策部                    ６００  リセット部
【図１】
2021009949.tif 000003
【図２】
2021009949.tif 000004
【図３】
2021009949.tif 000005
【図４】
2021009949.tif 000006
【図５】
2021009949.tif 000007
【図６】
2021009949.tif 000008
【図７】
2021009949.tif 000009
【図８】
2021009949.tif 000010
【図９】
2021009949.tif 000011
【図１０】
2021009949.tif 000012
【図１１】
2021009949.tif 000013
【図１２】
2021009949.tif 000014
【図１３】
2021009949.tif 000015
【図１４】
2021009949.tif 000016
【図１５】
2021009949.tif 000017
【図１６】
2021009949.tif 000018
【図１７】
2021009949.tif 000019
【国際調査報告】
2021009949.tif 000020
2021009949.tif 000021
2021009949.tif 000022
2021009949.tif 000023